(57)【要約】【課題】複数の分析ユニットを備えた自動分析装置において、特定の分析ユニットの電源を切断して保守作業をしながら、装置システム全体としては分析動作を継続することが可能な自動分析装置を実現する。【解決手段】検体投入部１０１と搬送部１０２と複数の分析ユニット１０３とを備えた自動分析装置において、一つまたはそれ以上の分析ユニットにおいて故障が発生した際に、操作部１０６の画面上から該当分析ユニットを電源切断可能モードへと設定可能であり、電源切断可能モードに設定された分析ユニットは、装置動作および装置内情報ネットワークから切り離された状態となり、分析ユニット単独の電源を切断しながら装置全体での分析動作の継続を可能とする。【選択図】　図１
2004028933.tif 000002
【特許請求の範囲】
【請求項１】
検体投入部から供給された検体を搬送する搬送ラインと、
該搬送ラインで搬送された検体を分析する少なくとも１つの分析ユニットと、
該分析ユニットで分析された検体を回収する検体回収部と、
前記検体投入部，搬送ライン，分析ユニット，検体回収部を総合的に制御する中央制御装置と、
を備えた自動分析装置において、
前記中央制御装置が前記分析ユニットを前記中央制御装置の制御から切り離す切り離し手段を備えたことを特徴とする自動分析装置。
【請求項２】
請求項１記載の自動分析装置において、
更に、前記中央制御装置が該中央制御装置の制御から切り離した分析ユニットの電源を切断する機能を備えたことを特徴とする自動分析装置。
【請求項３】
請求項２記載の自動分析装置において、
更に、前記中央制御装置が該中央制御装置の制御から切り離した分析ユニットの電源を再度投入する機能を備えたことを特徴とする自動分析装置。
【請求項４】
検体投入部から供給された検体を搬送する搬送ラインと、
該搬送ラインで搬送された検体を分析する少なくとも１つの分析ユニットと、
該分析ユニットで分析された検体を回収する検体回収部と、
前記検体投入部，搬送ライン，分析ユニット，検体回収部を総合的に制御する中央制御装置と、
を備えた自動分析装置において、
前記自動分析装置を構成する検体投入部，搬送ライン，分析ユニット，検体回収部等を区分して表示する表示手段を備え、該表示手段の区分された各構成を指定することにより、指定された構成が前記中央制御装置の制御から切り離される機能を備えたことを特徴とする自動分析装置。
【請求項５】
請求項４記載の自動分析装置において、
更に、前記表示手段に表示された各構成の指定を繰り返すことにより、指定された構成の前記中央制御装置の制御からの切り離し、再接続を切り替えることが可能な機能を備えたことを特徴とする自動分析装置。
【発明の詳細な説明】
【０００１】
【発明の属する技術分野】
本発明は、血液，尿等の生体液の成分の定量，定性分析を行う自動分析装置に係り、特に搬送ラインに複数の分析ユニットが接続された自動分析装置に関する。
【０００２】
【従来の技術】
患者由来の血液や尿の如き生体サンプルに含まれる成分を定量的または定性的に自動で分析する臨床検査用自動分析装置（以下自動分析装置と称する）は大量の生体サンプルの分析を行う大病院，臨床検査センターを中心に導入されている。近年、分析項目の多様化，分析の高速化のニーズに対応して複数の分析ユニットを１つの搬送ラインに組み合わせ、分析を行う検体を架装した検体ラックを搬送ラインを介して分析ユニットに搬送する形式の自動分析装置（以下モジュールタイプ自動分析装置と称する）が提案されている。
【０００３】
これらモジュールタイプ自動分析装置では、搬送ラインに接続されている複数の分析ユニットのうち、いずれかの分析ユニットに試薬不足等が発生し分析を継続できなくなるような場合がある。そのような場合、当該分析ユニットに検体ラックが搬送されないようにし（マスキング）、その間に当該分析ユニットの不足した試薬を交換し、交換後にマスキングを解除する方法が特開２０００−２８６２２号公報に開示されている。
【０００４】
【発明が解決しようとする課題】
しかし、搬送ラインに接続された分析ユニットのひとつに重大な故障が発生した場合には、故障の回復のため当該分析ユニットの電源を切断した上で部品交換等の保守作業を行う必要性が生じる場合が想定される。特開２０００−２８６２２　号公報ではこのような場合が想定されていない。従い、分析ユニットの電源を切断する場合には、モジュールタイプ自動分析装置全体の電源を切断する必要があるものと推定される。何故ならば、一つの分析ユニットをマスキングする場合でも、試薬交換後に当該分析ユニットを自動分析装置のシステムに迅速に復帰させるため、自動分析装置全体を管理する制御用コンピュータの情報ネットワークからは切り離さないのが普通であるからである。従って、故障が発生した分析ユニットの電源のみを切断すると、装置全体がアラームにより停止することが想定される。
【０００５】
本発明の目的は、搬送ラインに接続された分析ユニットに故障等が発生して、当該分析ユニットの電源を切断する必要が生じた場合でも、自動分析装置全体の電源を切断することなく、他の分析ユニットでの分析動作を継続することができる自動分析装置を提供することにある。
【０００６】
【課題を解決するための手段】
上記目的を達成するための本発明の構成は以下の通りである。
【０００７】
検体投入部から供給された検体を搬送する搬送ラインと、該搬送ラインで搬送された検体を分析する少なくとも１つの分析ユニットと、該分析ユニットで分析された検体を回収する検体回収部と、前記検体投入部，搬送ライン，分析ユニット，検体回収部を総合的に制御する中央制御装置と、を備えた自動分析装置において、前記中央制御装置が前記分析ユニットを前記中央制御装置の制御から切り離す切り離し手段を備えた自動分析装置。
【０００８】
本発明で対象としている自動分析装置は、搬送ライン，分析ユニット等がそれぞれ制御装置を備え、情報を交換しながら独立して制御を行うシステムではなく、すべての構成を１つの中央制御コンピュータが制御（それぞれの構成は制御装置を備えていたとしても、各構成の動作の指示，動作の結果の受領は１つのコンピュータが行う）する自動分析装置である。検体投入部から供給される検体は、検体を収容する検体容器を複数載置した検体ラックの形状でもよいし、一つの検体を収容した１検体容器であっても良い。搬送ラインはベルトコンベアのようなものであっても良いし、押し出し爪のようなもので検体容器を押し出すものであっても良い。分析ユニットは搬送ライン上の検体容器から検体を採取する機構を備えたものであっても良いし、検体容器を分析ユニット内に引き込んで引き込んだ検体容器から検体を採取する構成のものであっても良い。
【０００９】
【発明の実施の形態】
以下、本発明の具体的実施例について説明する。
【００１０】
図１は、本発明の一実施例である自動分析装置の全体概略構成図である。
【００１１】
図１において、複数個の試料容器１０８を設置できるラック１０７を複数個架設可能な検体投入部１０１から、ラックを搬送する搬送部１０２が設けられている。その搬送部１０２に接して複数の分析ユニット１０３が配置されている。また、搬送部１０２とは別に、再検査の必要のある検体の入った試料容器１０８が設置されているラック１０７を分析ユニットへと搬送する再検搬送部１０５が設けられている。そして、各ユニットに対する操作を行う操作部１０６が接続されている。分析ユニット１０３は検体分注機構を有し、搬送部１０２はラック１０７に設置された試料容器１０８を各分析ユニットの試料吸引位置へと搬送する。
【００１２】
図２に分析ユニット１０３の構成を示す。図２において分析ユニット１０３は、試薬容器収納部である試薬ディスク２０１と試薬分注ピペッタ２０２を備えた試薬系と、試料分注ピペッタ２０３を備えたサンプル系と、反応容器２０４を含んだ反応ディスク２０５を備えた反応系と、多波長光度計２０６とアナログ／デジタルコンバータ２０７を備えた測定系とから構成される。
【００１３】
図２において、試料容器１０８の設置されたラック１０７は搬送部１０２を試料吸引位置２０８へと搬送される。試料分注ピペッタ２０３は、試料容器１０８内の試料を吸引し、反応容器２０４の中に所定量分注する。
【００１４】
試料液が吐出分注された反応容器２０４は、恒温槽２０９に連絡された反応ディスク２０５の中を第一試薬添加位置まで移動される。この時、試薬ディスク
２０１も回転動作によって現在の分析項目に該当する試薬容器２１０を昇降アームに保持された試薬分注ピペッタ２０２の下に位置するように移動する。そして、第一試薬添加位置まで移動された反応容器２０４には、試薬分注ピペッタ２０２に吸引された所定の第一試薬が加えられる。第一試薬の添加後の反応容器２０４は攪拌装置２１１の位置まで移動され、最初の攪拌が行われる。
【００１５】
内容物が攪拌された反応容器２０４に、光源から発生された光束が通過し、多波長光度計２０６に入射する。そして、反応容器２０４の内容物である反応液の吸光度が多波長光度計２０６により検知される。検知された吸光度信号は、アナログ／デジタル（Ａ／Ｄ）コンバータ２０７及びインターフェイスを介してコンピュータ２１２に供給され、試料液中の測定対象の分析項目濃度に変換される。
【００１６】
測定が終了した反応容器２０４は、洗浄機構の位置まで移動され、反応容器洗浄機構による洗浄位置にて内部の液が排出された後に、水で洗浄され、次の分析に供される。
【００１７】
図１の自動分析装置において、分析動作中にひとつの分析ユニットになんらかの障害が発生した場合に、装置システム全体は分析動作を継続したままで、その分析ユニットは停止し、待機状態になる。装置システム全体での分析動作が終了し、システム全体が待機状態になると、オペレータは操作画面上から該当分析ユニットを電源切断可能モードに設定することができる。図３に分析ユニットのモード設定画面を示す。分析ユニット設定画面上で分析ユニットボタン３０１を押すことで、分析ユニットのモードが活動，電源切断可能と切り替わる。分析ユニットのモードを画面で設定後、登録ボタン３０２を押すと設定が登録される。分析ユニットのモードを設定後、取消ボタン３０３を押すと設定が取り消される。
電源切断可能モードに設定された分析ユニットは、電源切断可能モードを解除して活動モードにされるまでの間は、装置システム全体の情報ネットワークとはソフト的に切り離された状態となる。電源切断可能モードに設定されたユニットに対しては、該当ユニットの電源切断スイッチによって、システム全体の電源供給を継続したままで、該当ユニットのみに対して電源供給を切断することが可能であり、この状態で部品交換などの保守作業を実施することが可能となる。装置システム全体としては、該当ユニットの電源供給を切断した状態で、再度分析動作を開始することができる。
【００１８】
装置システム全体が待機状態のもとで、電源切断可能モードに設定され、電源供給を切断された状態の分析ユニットに対して再度電源投入すると、該当ユニットにシステムソフトがロードされ、該当ユニットは再度動作可能な状態へと復帰する。ここでオペレータは該当ユニットの電源切断可能モードを解除し、サービスモードを設定することができる。サービスモードに設定された分析ユニットは、装置システム全体の動作とは切り離された状態であり、情報ネットワークには接続しているが、装置操作画面からの分析オペレーションやメンテナンス動作などの操作は不可な状態となる。この状態において、保守サービス用の操作コンピュータを装置システムの情報ネットワークに接続し、保守サービス用の操作コンピュータから該当ユニットに対する、調整，メンテナンス動作などの操作が可能である。該当ユニットがサービスモードの状態で、装置システム全体の分析動作が可能である。また装置システム全体の分析動作を継続しながら、該当ユニットのサービスモードを解除し、該当ユニットを装置システム全体の分析動作へと復帰させることが可能である。
【００１９】
【発明の効果】
本発明により、複数の分析ユニットを備えた自動分析装置において、特定の分析ユニットの電源を切断して保守作業をしながら、装置システム全体としては分析動作を継続することが可能となる。
【図面の簡単な説明】
【図１】本発明にかかる自動分析装置の実施例の全体概略構成図。
【図２】本発明にかかる自動分析装置中の分析ユニット概略構成図。
【図３】本発明にかかる自動分析装置中の分析ユニット設定画面。
【符号の説明】
１０１…検体投入部、１０２…搬送部、１０３…分析ユニット、１０５…再検搬送部、１０６…操作部、１０７…ラック、１０８…試料容器、２０１…試薬ディスク、２０２…試薬分注ピペッタ、２０３…試料分注ピペッタ、２０４…反応容器、２０５…反応ディスク、２０６…多波長光度計、２０７…アナログ／デジタルコンバータ、２０８…試料吸引位置、２０９…恒温槽、２１０…試薬容器、２１１…攪拌装置、２１２…コンピュータ、３０１…分析ユニットボタン、３０２…登録ボタン、３０３…取消ボタン。
【図１】
2004028933.tif 000003
【図２】
2004028933.tif 000004
【図３】
2004028933.tif 000005